(57)【要約】【課題】容易に製造でき、かつ電池から電池保持部を介してケースへ伝達される熱量を増加させることができる電池パックおよびそれを備える鞍乗型車両を提供する。【解決手段】電池パック４０は、ケース部材５４，５６および第１電池ユニット６２を含む。第１電池ユニット６２は、複数の電池９８、電池保持部１００および複数のリード部材１２０，１２２，１２４，１２６を有する。複数の電池９８は、Ｘ方向に３行以上かつＹ方向に３行以上に配列される。ケース部材５４の側壁部６６は、Ｘ方向における複数位置およびＹ方向における複数位置で電池保持部１００の端面１１０に固定される。複数の電池９８から電池保持部１００に伝達された熱は、電池保持部１００の端面１１０から側壁部６６に伝達され、放熱される。【選択図】図５
2013109977.tif 000002
【特許請求の範囲】
【請求項１】
第１方向に複数行以上および前記第１方向に直交する第２方向に複数列以上に配列される複数の充電できる電池と、
前記第１方向および前記第２方向の双方に直交する第３方向に離れて設けられる第１端面および第２端面を有しかつ前記複数の電池を保持する電池保持部と、
前記複数の電池を電気的に接続する複数のリード部材と、
前記複数の電池、前記電池保持部および前記複数のリード部材を収容するケースとを備え、
前記複数の電池は、前記第１方向に３行以上かつ前記第２方向に３列以上に配列され、
前記ケースは、前記第１方向および前記第２方向の双方に直交する第３方向において少なくとも第１ケース部材と第２ケース部材とに分割され、
前記第１端面および前記第２端面はそれぞれ、前記第３方向に交差し、
前記第１ケース部材は、前記第１端面に対向する第１側壁部を有し、
前記第２ケース部材は、前記第２端面に対向する第２側壁部を有し、
前記第１側壁部は、前記第１方向における複数位置および前記第２方向における複数位置で前記第１端面に固定され、前記複数の電池で発生しかつ前記複数の電池から前記電池保持部に伝達された熱を、前記第１端面から受ける、電池パック。
【請求項２】
前記複数のリード部材は、前記電池保持部の前記第１端面と前記第１ケース部材の前記第１側壁部との間において前記第１方向または前記第２方向に間隔をおいて設けられ、
前記第１側壁部は、前記複数のリード部材の間の複数位置において前記第１端面に固定される、請求項１に記載の電池パック。
【請求項３】
前記電池保持部の前記第１端面は、前記複数のリード部材の間において前記複数のリード部材に対して前記第１側壁部側に位置する突出面を含み、
前記第１側壁部は、前記複数の電池から前記電池保持部に伝達された熱の少なくとも一部を前記第１端面の前記突出面から受ける、請求項２に記載の電池パック。
【請求項４】
前記第１側壁部は、前記突出面に隣接する位置において前記第１端面に固定される、請求項３に記載の電池パック。
【請求項５】
前記電池保持部の前記第１端面は、前記複数のリード部材の間に設けられかつ前記第１方向の幅が前記第２方向の幅よりも大きいまたは小さい平坦面を含み、
前記第１側壁部は、前記複数の電池から前記電池保持部に伝達された熱の少なくとも一部を前記第１端面の前記平坦面から受ける、請求項２から４のいずれかに記載の電池パック。
【請求項６】
前記第１側壁部は、前記平坦面に隣接する位置において前記第１端面に固定される、請求項５に記載の電池パック。
【請求項７】
前記ケースの前記第１側壁部は、複数の固定部材によって前記電池保持部の前記第１端面に固定される、請求項５に記載の電池パック。
【請求項８】
前記ケースの前記第１側壁部は、溶着によって前記電池保持部の前記第１端面に固定される、請求項５に記載の電池パック。
【請求項９】
前記電池保持部は、前記第３方向において少なくとも第１保持部および第２保持部に分割され、前前第１保持部は前記第１端面を有し、前記第２保持部は前記第２端面を有する、請求項５に記載の電池パック。
【請求項１０】
前記複数の電池は、格子状に配列されている、請求項５に記載の電池パック。
【請求項１１】
前記複数の電池は、千鳥状に配列されている、請求項５に記載の電池パック。
【請求項１２】
請求項５に記載の電池パックを備える、鞍乗型車両。
【発明の詳細な説明】
【技術分野】
【０００１】
この発明は、電池パックおよびそれを備える鞍乗型車両に関し、より特定的には、複数の充電できる電池を有する電池パックおよびそれを備える鞍乗型車両に関する。
【背景技術】
【０００２】
従来、複数の充電できる電池を備えた電池パックが提案されている。近年、このような電池パックにおいて電池容量の増加が望まれており、より多くの電池を有する電池パックの実用化が進められている。
【０００３】
ところで、電池の数を増加させることによって電池パックの電池容量は増加するが、電池パックの発熱量も増加してしまう。そのため、大容量の電池パックにおいては、放熱性を向上させることが重要な課題となる。そこで、電池パックの放熱性を向上させるための技術が開発されている。
【０００４】
たとえば、特許文献１に開示されているパック電池は、複数の電池、複数の電池に接続されるリード板、複数の電池の間に配置されるプラスチック製のスペーサー、ならびに複数の電池、リード板およびスペーサーを収容するプラスチック製のケースを有する。スペーサーは、スペーサー本体およびスペーサー本体に一体的に成形される隙間プレートを含む。隙間プレートは、電池とケースの側壁との隙間を塞ぐように、電池の端面とケースの側壁との隙間に配置されている。このような構成において、電池で発生した熱を、スペーサーの隙間プレートを介してケースの側壁に伝達し、ケースから放熱することができる。
【先行技術文献】
【特許文献】
【０００５】
【特許文献１】特開２００６−１３４８００号公報
【発明の概要】
【発明が解決しようとする課題】
【０００６】
ところで、特許文献１のパック電池では、ケースの側壁は抜き勾配（draft）を有する。そのため、電池とケースの側壁との隙間は、ケースの側壁の開口部側において大きくなる。そこで、特許文献１のパック電池では、電池とケースの側壁との隙間を隙間プレートによって理想的な状態で塞ぐために、隙間プレートの厚さおよび形状を工夫している。具体的には、隙間プレートの厚さが側壁の開口部に向かって厚くなるように、隙間プレートを成形している。これにより、電池からスペーサーを介してケースの側壁に伝達される熱量を増やすことができる。
【０００７】
しかしながら、特許文献１のパック電池では、ケースおよび隙間プレート（スペーサー）がともにプラスチックによって成形されているので、ケースおよび隙間プレートの成形精度を高めて電池とケースとの隙間を十分に小さくすることは非常に困難である。言い換えると、特許文献１の方法では、電池からスペーサーを介してケースに伝達される熱量を十分に増やすことは困難である。
【０００８】
それゆえに、この発明の主たる目的は、容易に製造でき、かつ電池から電池保持部を介してケースへ伝達される熱量を増加させることができる電池パックおよびそれを備える鞍乗型車両を提供することである。
【課題を解決するための手段】
【０００９】
上述の目的を達成するために、請求項１に記載の電池パックは、第１方向に複数行以上および第１方向に直交する第２方向に複数列以上に配列される複数の充電できる電池と、第１方向および第２方向の双方に直交する第３方向に離れて設けられる第１端面および第２端面を有しかつ複数の電池を保持する電池保持部と、複数の電池を電気的に接続する複数のリード部材と、複数の電池、電池保持部および複数のリード部材を収容するケースとを備え、複数の電池は、第１方向に３行以上かつ第２方向に３列以上に配列され、ケースは、第１方向および第２方向の双方に直交する第３方向において少なくとも第１ケース部材と第２ケース部材とに分割され、第１端面および第２端面はそれぞれ、第３方向に交差し、第１ケース部材は、第１端面に対向する第１側壁部を有し、第２ケース部材は、第２端面に対向する第２側壁部を有し、第１側壁部は、第１方向における複数位置および第２方向における複数位置で第１端面に固定され、複数の電池で発生しかつ複数の電池から電池保持部に伝達された熱を、第１端面から受けることを特徴とする。
【００１０】
なお、「第３方向に交差する第１端面」には、第３方向に垂直な第１端面のみならず、第３方向に対して傾斜する第１端面が含まれる。第２端面についても同様である。また、第１端面が凹凸を有していてもよく、第２端面が凹凸を有していてもよい。
【００１１】
請求項２に記載の電池パックは、請求項１に記載の電池パックにおいて、複数のリード部材は、電池保持部の第１端面と第１ケース部材の第１側壁部との間において第１方向または第２方向に間隔をおいて設けられ、第１側壁部は、複数のリード部材の間の複数位置において第１端面に固定されることを特徴とする。
【００１２】
請求項３に記載の電池パックは、請求項２に記載の電池パックにおいて、電池保持部の第１端面は、複数のリード部材の間において複数のリード部材に対して第１側壁部側に位置する突出面を含み、第１側壁部は、複数の電池から電池保持部に伝達された熱の少なくとも一部を第１端面の突出面から受けることを特徴とする。
【００１３】
請求項４に記載の電池パックは、請求項３に記載の電池パックにおいて、第１側壁部は、突出面に隣接する位置において第１端面に固定されることを特徴とする。
【００１４】
請求項５に記載の電池パックは、請求項２から４のいずれかに記載の電池パックにおいて、電池保持部の第１端面は、複数のリード部材の間に設けられかつ第１方向の幅が第２方向の幅よりも大きいまたは小さい平坦面を含み、第１側壁部は、複数の電池から電池保持部に伝達された熱の少なくとも一部を第１端面の平坦面から受けることを特徴とする。
【００１５】
請求項６に記載の電池パックは、請求項５に記載の電池パックにおいて、第１側壁部は、平坦面に隣接する位置において第１端面に固定されることを特徴とする。
【００１６】
請求項７に記載の電池パックは、請求項５に記載の電池パックにおいて、ケースの第１側壁部は、複数の固定部材によって電池保持部の第１端面に固定されることを特徴とする。
【００１７】
請求項８に記載の電池パックは、請求項５に記載の電池パックにおいて、ケースの第１側壁部は、溶着によって電池保持部の第１端面に固定されることを特徴とする。
【００１８】
請求項９に記載の電池パックは、請求項５に記載の電池パックにおいて、電池保持部は、第３方向において少なくとも第１保持部および第２保持部に分割され、第１保持部は第１端面を有し、第２保持部は第２端面を有することを特徴とする。
【００１９】
請求項１０に記載の電池パックは、請求項５に記載の電池パックにおいて、複数の電池は、格子状に配列されていることを特徴とする。
【００２０】
請求項１１に記載の電池パックは、請求項５に記載の電池パックにおいて、複数の電池は、千鳥状に配列されていることを特徴とする。
【００２１】
請求項１２に記載の鞍乗型車両は、請求項５に記載の電池パックを備えることを特徴とする。
【００２２】
請求項１に記載の電池パックでは、複数の電池で発生した熱は、電池保持部の第１端面を介してケースの第１側壁部へ伝達され、放熱される。ここで、この電池パックでは、ケースの第１側壁部は第１方向における複数位置および第２方向における複数位置で第１端面に固定される。この場合、ケースの成形精度を高めることなく第１側壁部と第１端面とを容易に接触させることができるとともに、第１側壁部と第１端面との密着性を高めることができる。これにより、電池保持部からケースへ伝達される熱量を増加させることができる。特に、第１側壁部と第１端面との密着性が高まることによって、熱がこもり易い電池保持部の中央部の熱も、効率よくケースに伝達することができる。
【００２３】
また、電池保持部の第１端面および第２端面はそれぞれ、第３方向に交差する。言い換えると、第１端面および第２端面はそれぞれ、少なくとも第１方向と第２方向とに延びる。ここで、この電池パックでは、複数の電池は、第１方向に３行以上かつ第２方向に３列以上に配列される。この場合、複数の電池を保持する電池保持部の第１方向および第２方向の寸法が大きくなるので、第１方向と第２方向とに延びる第１端面および第２端面の面積も大きくなる。これにより、電池保持部から第１端面を介してケースの第１側壁部に伝達される熱量を十分に増やすことができる。また、第１端面の面積が大きくなることによって、第１端面に固定される第１側壁部の剛性を容易に向上させることができる。
【００２４】
また、一般に、電池パックの製造を容易にするために、電池パックのケースは少なくとも２つ以上に分割される。この発明に係る電池パックでは、ケースは、第３方向において少なくとも第１ケース部材と第２ケース部材とに分割されるので、ケースを第１方向または第２方向に分割しなくてもよい。したがって、第１ケース部材に設けられる第１側壁部を第１方向または第２方向に分割しなくてもよい。この場合、第１側壁部を分割して構成する場合に比べて、第１側壁部を第１端面に容易に固定できるとともに第１側壁部の熱伝導性を向上できる。また、第１側壁部を第１端面により安定して接触させることができる。
【００２５】
以上の結果、電池パックを容易に製造でき、かつ電池から電池保持部を介してケースへ伝達される熱量を増やすことができる。
【００２６】
請求項２に記載の電池パックでは、第１側壁部は、複数のリード部材の間の複数位置において第１端面に固定されるので、第１側壁部と第１端面との接触部が一か所に偏ってしまうことを防止できる。それにより、電池保持部からケースに効率よく熱を伝達できる。
【００２７】
請求項３に記載の電池パックでは、第１端面が突出面を含むので、突出面において第１端面と第１側壁部とを容易に接触させることができる。これにより、電池保持部からケースに伝達される熱量を容易に増やすことができる。
【００２８】
請求項４に記載の電池パックでは、第１側壁部は、突出面に隣接する位置において第１端面に固定されるので、第１側壁部を突出面に容易に接触させることができる。これにより、電池保持部からケースに伝達される熱量を確実に増やすことができる。
【００２９】
請求項５に記載の電池パックでは、第１端面が平坦面を含むので、平坦面において第１端面と第１側壁部とを容易に接触させることができる。これにより、電池保持部からケースに伝達される熱量を容易に増やすことができる。
【００３０】
請求項６に記載の電池パックでは、第１側壁部は、平坦面に隣接する位置において第１端面に固定されるので、第１側壁部を平坦面により確実に接触させることができる。これにより、電池保持部からケースに伝達される熱量をより確実に増やすことができる。
【００３１】
請求項７に記載の電池パックでは、固定部材によって第１側壁部を第１端面に容易かつ確実に固定できる。
【００３２】
請求項８に記載の電池パックでは、溶着によって第１側壁部を第１端面に固定できるので、電池パックの部品点数を減らすことができるとともに、電池パックの防水性を向上できる。
【００３３】
請求項９に記載の電池パックでは、電池保持部を少なくとも第１保持部および第２保持部に分割することによって、第１保持部および第２保持部によって挟むようにして複数の電池を保持することができる。これにより、電池保持部の構造を簡単にできるとともに、電池パックの組み立てが容易になる。
【００３４】
請求項１０に記載の電池パックでは、複数の電池が格子状に配列されるので、各電池で発生した熱を電池保持部において効率よく拡散することができる。それにより、各電池で発生した熱を効率よく放熱できる。
【００３５】
請求項１１に記載の電池パックでは、複数の電池が千鳥状に配列されるので、各電池で発生した熱を電池保持部において効率よく拡散することができる。それにより、各電池で発生した熱を効率よく放熱できる。
【００３６】
電池パックを備えた鞍乗型車両の製造コストを低減するためには、電池パックの生産性を向上させる必要がある。また、電池パックを備えた鞍乗型車両においては、電池パックの放熱性を向上させる必要がある。したがって、容易に製造でき、かつ電池から電池保持部を介してケースへ伝達される熱量を増加させることができる請求項５に記載の電池パックは、請求項１２に記載されるように、鞍乗型車両に好適に利用できる。
【発明の効果】
【００３７】
この発明によれば、容易に製造でき、かつ電池から電池保持部を介してケースへ伝達される熱量を増加させることができる電池パックおよびそれを備える鞍乗型車両が得られる。
【図面の簡単な説明】
【００３８】
【図１】この発明の実施の形態に係るスクータを示す側面図である。
【図２】車体カバーを取り外した状態のスクータを示す側面図である。
【図３】電池パックの外観を示す斜視図である。
【図４】電池パックの内部構造を示す斜視図である。
【図５】電池パックを示す分解斜視図である。
【図６】第１電池ユニットを示す断面図解図である。
【図７】第１電池ユニットを側壁部側から見た図である。
【図８】第１電池ユニットの第１保持部を側壁部側から見た図である。
【図９】電池保持部の端面を示す図である。
【図１０】第２電池ユニットを示す断面図解図である。
【図１１】ケースと第１電池ユニットとの関係を示す図である。
【図１２】側壁部、第１保持部およびネジの関係を示す断面図である。
【図１３】複数の電池が千鳥状に配列された電池ユニットを示す図である。
【図１４】電池保持部を示す図である。
【図１５】電池パックの他の例を示す斜視図である。
【図１６】ケース部材および放熱板を示す斜視図である。
【図１７】第１保持部、ケース部材の側壁部、および放熱板の関係を示す断面図である。
【発明を実施するための形態】
【００３９】
以下、図面を参照してこの発明の実施の形態について説明する。ここでは、この発明の実施の形態に係る電池パック４０を、鞍乗型車両の一例であるスクータ１０に搭載した場合について説明する。なお、スクータ１０の説明において前後、左右、上下とは、スクータ１０のシート３８に運転者がハンドル３２に向かって着座した状態を基準とした前後、左右、上下を意味する。
【００４０】
図１は、スクータ１０を示す側面図である。スクータ１０は、車体フレーム１２および車体カバー１４を有する。なお、図面が煩雑になることを避けるために、図１においては車体フレーム１２を簡略化して示している。
【００４１】
図２は、車体カバー１４を取り外した状態のスクータ１０を示す側面図である。
【００４２】
図２を参照して、車体フレーム１２は、ヘッドパイプ１６、ヘッドパイプ１６から後方斜め下方に延びる前部フレーム１８、および前部フレーム１８の下端部から後方に延びる一対の後部フレーム２０（図２においては、左側の後部フレーム２０のみを図示）を含む。一対の後部フレーム２０は、スクータ１０の幅方向（左右方向）に並ぶように配置される。
【００４３】
各後部フレーム２０は、前部フレーム１８の下端部から後方へ延びる第１フレーム部２２、第１フレーム部２２の後端部から斜め上方へ延びる第２フレーム部２４、第２フレーム部２４の上端部から後方へ延びる第３フレーム部２６、および第２フレーム部２４と第３フレーム部２６とを連結する第４フレーム部２８を含む。第４フレーム部２８は、第２フレーム部２４の上下方向における中央部と第３フレーム部２６の前後方向における中央部とを連結するように、第２フレーム部２４から後方斜め上方に延びる。
【００４４】
ヘッドパイプ１６には、ステアリング軸３０が回動自在に挿通される。ステアリング軸３０の上端部には、ハンドル３２が取り付けられる。ステアリング軸３０の下端部には、フロントフォーク３４が取り付けられる。フロントフォーク３４の下端部には、前輪３６が回転自在に支持される。
【００４５】
第２フレーム部２４の上方にシート３８が設けられる。シート３８の下方において後部フレーム２０に電池パック４０が支持される。この実施形態では、電池パック４０は、第２フレーム部２４の下端部に設けられる支持部材４２および第３フレーム部２６の前端部に設けられる支持部材４４を介して後部フレーム２０に支持される。また、この実施形態では、電池パック４０は、やや後方に傾くように配置される。
【００４６】
第４フレーム部２８にスイングユニット４６が揺動可能に支持される。スイングユニット４６は、電動モータ４８および後輪５０を含む。スクータ１０では、電池パック４０から供給される電力によって電動モータ４８が駆動され、電動モータ４８の出力によって後輪５０が駆動される。
【００４７】
図３は、電池パック４０の外観を示す斜視図であり、図４は、電池パック４０の内部構造を示す斜視図であり、図５は、電池パック４０を示す分解斜視図である。なお、図４および図５においては、図面が煩雑になることを避けるために、電池パック４０の各構成部材を簡略化して示している。また、図３以降の各図には、電池パックの各構成部材の位置関係を明確にするために、互いに直交するＸ方向、Ｙ方向およびＺ方向を示す矢印を付している。この実施形態においては、Ｘ方向が第１方向に相当し、Ｙ方向が第２方向に相当し、Ｚ方向が第３方向に相当する。また、この実施形態では、Ｘ方向は、後述する端面１１０の長手方向（長さ方向）に対して平行な方向であり、Ｙ方向は、端面１１０の短手方向（幅方向）に対して平行な方向である。
【００４８】
図３および図４を参照して、電池パック４０はケース５２を含む。ケース５２は、Ｚ方向において複数のケース部材に分割された構成を有する。この実施形態では、ケース５２は、Ｚ方向において４つのケース部材５４，５６，５８，６０に分割された構成を有する。ケース部材５４，５６，５８，６０は、たとえば、樹脂等の絶縁材料またはアルミニウム等によって形成される。この実施形態では、ケース部材５４およびケース部材６０がそれぞれ第１ケース部材に相当し、ケース部材５６およびケース部材５８がそれぞれ第２ケース部材に相当する。
【００４９】
図４および図５を参照して、電池パック４０はさらに、第１電池ユニット６２および第２電池ユニット６４を有する。第１電池ユニット６２および第２電池ユニット６４は、ケース５２に収容される。より具体的には、第１電池ユニット６２は、ケース部材５４とケース部材５６との間に配置され、第２電池ユニット６４は、ケース部材５８とケース部材６０との間に配置される。
【００５０】
ケース部材５４は、板状かつ略長方形の側壁部６６、および側壁部６６の外周縁からケース部材５６に向かって突出する枠状の周壁部６８を有する。側壁部６６は、第１電池ユニット６２側に向かって突出する複数（この実施形態では７つ）の突出部６６ａを有する。突出部６６ａは、第１電池ユニット６２側から見た場合に（Ｚ方向視において）略長方形状を有する。突出部６６ａは、側壁部６６の略長方形の領域が第１電池ユニット６２側に押し出されたような形状を有する。側壁部６６の四隅には、後述するボルト２０２を通すためのボス部７０ａ，７０ｂ，７０ｃ，７０ｄが設けられる。
【００５１】
ケース部材５６は、板状かつ略長方形の側壁部７２、側壁部７２の外周縁からケース部材５４に向かって突出する枠状の周壁部７４、および側壁部７２からケース部材５８に向かって突出する中空状の連結部７６，７８を有する。連結部７６は、ケース部材５８の後述する連結部８６に対応する形状を有し、連結部７８は、ケース部材５８の後述する連結部８８に対応する形状を有する。
【００５２】
この実施形態では、側壁部６６および後述の側壁部９２がそれぞれ第１側壁部に相当し、側壁部７２および後述の側壁部８２がそれぞれ第２側壁部に相当する。
【００５３】
側壁部７２は、第１電池ユニット６２側に向かって突出する複数の突出部７２ａ、および貫通孔７２ｂ，７２ｃ，７２ｄを有する。突出部７２ａは、突出部６６ａと同様の形状を有する。貫通孔７２ｂは、側壁部７２の一方の長辺に沿ってＸ方向に延びるように設けられる。貫通孔７２ｃは長方形状を有し、側壁部７２の一方の短辺の近傍に設けられる。貫通孔７２ｄは長方形状を有し、側壁部７２の他方の短辺の近傍に設けられる。貫通孔７２ｂ，７２ｃ，７２ｄは、ケース部材５８側から見た場合に（Ｚ方向視において）連結部７８の内側に位置する。側壁部７２の四隅には、ボルト２０２を通すためのボス部８０ａ，８０ｂ，８０ｃ，８０ｄが設けられる。
【００５４】
ケース部材５８は、板状かつ略長方形状の側壁部８２、側壁部８２の外周縁からケース部材６０に向かって突出する枠状の周壁部８４、および側壁部８２からケース部材５６に向かって突出する中空状の連結部８６，８８を有する。
【００５５】
側壁部８２は、第２電池ユニット６４側に向かって突出する複数の突出部８２ａ、および貫通孔８２ｂ，８２ｃ，８２ｄを有する。突出部８２ａは、突出部６６ａと同様の形状を有する。貫通孔８２ｂは、側壁部８２の一方の長辺に沿ってＸ方向に延びるように設けられる。貫通孔８２ｃは長方形状を有し、側壁部８２の一方の短辺の近傍に設けられる。貫通孔８２ｄは長方形状を有し、側壁部８２の他方の短辺の近傍に設けられる。貫通孔８２ｂ，８２ｃ，８２ｄは、ケース部材５６側から見た場合に（Ｚ方向視において）連結部８８の内側に位置する。側壁部８２の四隅には、ボルト２０２を通すためのボス部９０ａ，９０ｂ，９０ｃ，９０ｄが設けられる。
【００５６】
ケース部材６０は、板状かつ略長方形状の側壁部９２、および側壁部９２の外周縁からケース部材５８に向かって突出する枠状の周壁部９４を有する。側壁部９２は、第２電池ユニット６４側に向かって突出する複数の突出部９２ａを有する。突出部９２ａは、突出部６６ａと同様の形状を有する。側壁部９２の四隅には、ボルト２０２を通すためのボス部９６ａ，９６ｂ，９６ｃ，９６ｄが設けられる。
【００５７】
図６は、第１電池ユニット６２を示す断面図解図であり、図７は、第１電池ユニット６２を側壁部６６側から見た図である。なお、図６においては、図面が煩雑になることを避けるために、第１電池ユニット６２の一部の図示を省略している。
【００５８】
図６および図７を参照して、第１電池ユニット６２は、互いに平行に配置される複数の充電できる電池９８および複数の電池９８を保持する電池保持部１００を有する。電池９８は円柱形状を有し、Ｚ方向に対して平行に配置される。電池保持部１００は、略直方体状の第１保持部１０２と略直方体状の第２保持部１０４とを含む。電池保持部１００および後述の電池保持部１４４は、たとえば樹脂等の絶縁材料によって形成される。
【００５９】
図８は、第１保持部１０２を側壁部６６側から見た図である。
【００６０】
図８を参照して、第１保持部１０２は、複数の貫通孔１０６、およびボス部１０８ａ，１０８ｂ，１０８ｃ，１０８ｄを有する。複数の貫通孔１０６は、Ｘ方向に１４行かつＹ方向に７列になるように格子状に配列される。図６を参照して、複数の貫通孔１０６は、第１保持部１０２の一方側（この実施形態では側壁部６６（図５参照）側）の端面１１０と他方側（この実施形態では第２保持部１０４側）の端面１１２とを連通させるようにＺ方向に延びる。図５、図７および図８を参照して、ボス部１０８ａ，１０８ｂ，１０８ｃ，１０８ｄは、ケース部材５４のボス部７０ａ，７０ｂ，７０ｃ，７０ｄおよびケース部材５６のボス部８０ａ，８０ｂ，８０ｃ，８０ｄに対応するように、第１保持部１０２の四隅に設けられる。
【００６１】
図６を参照して、第２保持部１０４は複数の貫通孔１１４を有する。複数の貫通孔１１４は、複数の貫通孔１０６と同様に、Ｘ方向に１４行かつＹ方向に７列になるように格子状に配列される。また、複数の貫通孔１１４は、第２保持部１０４の一方側（この実施形態では側壁部７２（図５参照）側）の端面１１６と他方側（この実施形態では第１保持部１０２側）の端面１１８とを連通させるようにＺ方向に延びる。端面１１０および端面１１６はそれぞれ、Ｚ方向に交差する。言い換えると、端面１１０および端面１１６はそれぞれ、少なくともＸ方向とＹ方向とに延びる。端面１１０と端面１１６とは、Ｚ方向に離れて形成される。
【００６２】
第１電池ユニット６２においては、端面１１０が第１端面に相当し、端面１１６が第２端面に相当する。この実施形態では、端面１１０は側壁部６６（図５参照）に対向し、端面１１６は側壁部７２（図５参照）に対向する。
【００６３】
図６を参照して、複数の貫通孔１０６と複数の貫通孔１１４とがそれぞれ連通するようにかつ複数の電池９８がそれぞれ一対の貫通孔１０６，１１４に収容されるように、第１保持部１０２と第２保持部１０４とが接続される。図７を参照して、複数の電池９８は、Ｘ方向に３行以上かつＹ方向に３列以上に配列される。この実施形態では、複数の電池９８は、Ｘ方向に１４行かつＹ方向に７列になるように格子状に配列される。なお、以下の説明では、ボス部１０８ａ，１０８ｃに最も近い１行を１行目とし、ボス部１０８ｂ，１０８ｄに最も近い１行を１４行目とする。また、ボス部１０８ａ，１０８ｂに最も近い１列を１列目とし、ボス部１０８ｃ，１０８ｄに最も近い１列を７列目とする。この実施形態では、複数の電池９８は、奇数行に配置される電池９８と偶数行に配置される電池９８とが逆方向を向くように電池保持部１００に保持される。具体的には、たとえば、１、３、５、７、９、１１および１３行目の複数の電池９８は、マイナス極が側壁部６６（図５参照）側を向くように配置され、２、４、６、８、１０、１２および１４行目の複数の電池９８は、プラス極が側壁部６６（図５参照）側を向くように配置される。
【００６４】
図６および図７を参照して、第１保持部１０２の端面１１０側において複数の電池９８を電気的に接続するように、Ｙ方向に延びる複数（この実施形態では７つ）の板状のリード部材１２０が設けられる。
【００６５】
複数のリード部材１２０は、端面１１０と側壁部６６（図５参照）との間においてＸ方向に間隔をおいて設けられる。より具体的には、１行目の複数の電池９８の一端部（この実施形態では端面１１０側の端部）および２行目の複数の電池９８の一端部（この実施形態では端面１１０側の端部）に１つのリード部材１２０が接続される。これにより、１行目の複数の電池９８の一端部が電気的に並列に接続され、２行目の複数の電池９８の一端部が電気的に並列に接続される。また、１行目の複数の電池９８の一端部と２行目の複数の電池９８の一端部とが電気的に直列に接続される。同様に、３行目から１４行目の複数の電池９８の一端部に、６つのリード部材１２０が接続される。具体的には、２つの行の複数の電池９８毎に１つのリード部材１２０が接続される。
【００６６】
図６を参照して、第２保持部１０４の端面１１６側において複数の電池９８を電気的に接続するように、Ｙ方向に延びる複数の板状のリード部材１２２，１２４，１２６が設けられる。この実施形態では、１つのリード部材１２２、６つのリード部材１２４および１つのリード部材１２６が設けられる。
【００６７】
複数のリード部材１２２，１２４，１２６は、端面１１６と側壁部７２（図５参照）との間においてＸ方向に間隔をおいて設けられる。より具体的には、１行目の複数の電池９８の他端部（この実施形態では端面１１６側の端部）にリード部材１２２が接続される。これにより、１行目の複数の電池９８の他端部が電気的に並列に接続される。２行目の複数の電池９８の他端部および３行目の複数の電池９８の他端部に１つのリード部材１２４が接続される。これにより、２行目の複数の電池９８の他端部が電気的に並列に接続され、３行目の複数の電池９８の他端部が電気的に並列に接続される。また、２行目の複数の電池９８の他端部と３行目の複数の電池９８の他端部とが電気的に直列に接続される。同様に、４行目から１３行目の複数の電池９８の他端部に、５つのリード部材１２４が接続される。具体的には、２つの行の複数の電池９８毎に１つのリード部材１２４が接続される。リード部材１２６は、１４行目の複数の電池９８の他端部に接続される。これにより、１４行目の複数の電池９８の他端部が電気的に並列に接続される。
【００６８】
リード部材１２０，１２２，１２４，１２６は、たとえば複数の電池９８に溶着される。
【００６９】
図６、図７および図８を参照して、第１保持部１０２は、Ｚ方向における一端部（この実施形態では側壁部６６（図５参照）側の端部）に、複数の電池９８の側壁部６６側への移動を規制する複数の規制部１２８，１３０，１３２を有する。複数の規制部１２８，１３０，１３２は、Ｘ方向に間隔をおいて設けられる。この実施形態では、１つの規制部１２８、６つの規制部１３０および１つの規制部１３２が設けられる。
【００７０】
規制部１２８は、第１保持部１０２のＸ方向における一端部（この実施形態ではボス部１０８ａ，１０８ｃ（図７参照）側の端部）において側壁部６６（図５参照）側に向かって突出しかつＹ方向に延びる。図７を参照して、側壁部６６（図５参照）側から見た場合に（Ｚ方向視において）、１行目の各電池９８の一部は規制部１２８の一部に重なる。これにより、規制部１２８によって１行目の複数の電池９８の移動が規制される。
【００７１】
図７を参照して、各規制部１３０は、リード部材１２０とリード部材１２０との間に設けられる。図８を参照して、各規制部１３０は、Ｙ方向に互いに離れてかつＹ方向に並んで設けられる複数の突出部１３４，１３６，１３８，１４０を含む。突出部１３４，１３６，１３８，１４０は、側壁部６６（図５参照）側に向かって突出しかつＹ方向に延びるように設けられる。図７を参照して、側壁部６６（図５参照）側から見た場合に、２行目〜１３行目の各電池９８の一部は、規制部１３０の一部に重なる。これにより、複数の規制部１３０によって２行目〜１３行目の複数の電池９８の移動が規制される。
【００７２】
図６、図７および図８を参照して、規制部１３２は、第１保持部１０２のＸ方向における他端部（この実施形態ではボス部１０８ｂ，１０８ｄ（図７参照）側の端部）において側壁部６６（図５参照）側に向かって突出しかつＹ方向に延びる。図７を参照して、側壁部６６（図５参照）側から見た場合に、１４行目の各電池９８の一部は規制部１３２の一部に重なる。これにより、規制部１３２によって１４行目の複数の電池９８の移動が規制される。
【００７３】
図９は、電池保持部１００の端面１１０を示す図である。
【００７４】
図９を参照して、端面１１０は、側壁部６６（図５参照）側に突出する突出面１１０ａ、側壁部６６側に突出する複数の突出面１１０ｂ，１１０ｃ，１１０ｄ，１１０ｅ、側壁部６６側に突出する突出面１１０ｆ、および主面１１０ｇを含む。なお、図９においては、主面１１０ｇを理解し易くするために、主面１１０ｇにハッチングを付している。
【００７５】
図８および図９を参照して、この実施形態では、突出面１１０ａは、規制部１２８の側壁部６６（図５参照）側の端面であり、突出面１１０ｂは、突出部１３４の側壁部６６側の端面であり、突出面１１０ｃは、突出部１３６の側壁部６６側の端面であり、突出面１１０ｄは、突出部１３８の側壁部６６側の端面であり、突出面１１０ｅは、突出部１４０の側壁部６６側の端面であり、突出面１１０ｆは、規制部１３２の側壁部６６側の端面である。また、図９を参照して、主面１１０ｇは、端面１１０のうち、側壁部６６側から見た場合に複数の突出面１１０ａ〜１１０ｆを除く領域である。複数の突出面１１０ａ〜１１０ｆは平坦面として形成される。同様に、端面１１０の主面１１０ｇは平坦面として形成される。
【００７６】
図７を参照して、各突出面１１０ｂは、リード部材１２０とリード部材１２０との間に形成される。したがって、複数の突出面１１０ｂは、Ｘ方向に間隔をおいて形成される。同様に、突出面１１０ｃ，１１０ｄ，１１０ｅはそれぞれ、リード部材１２０とリード部材１２０との間に形成される。したがって、複数の突出面１１０ｃ、複数の突出面１１０ｄおよび複数の突出面１１０ｅはそれぞれ、Ｘ方向に間隔をおいて形成される。
【００７７】
図６および図８を参照して、複数の突出面１１０ａ〜１１０ｆのＺ方向における位置は互いに等しい。複数の突出面１１０ａ〜１１０ｆは、側壁部６６（図５参照）に対して平行に設けられる。同様に、主面１１０ｇは、側壁部６６に対して平行に設けられる。したがって、主面１１０ｇは、複数の突出面１１０ａ〜１１０ｆに対して平行に設けられる。複数の突出面１１０ａ〜１１０ｆおよび主面１１０ｇは、ＸＹ平面に対して平行に設けられる。言い換えると、複数の突出面１１０ａ〜１１０ｆおよび主面１１０ｇは、Ｚ方向に直交する。複数の突出面１１０ａ〜１１０ｆは、Ｚ方向において、主面１１０ｇおよび複数のリード部材１２０（図６参照）よりも側壁部６６（図５参照）側に位置する。言い換えると、突出面１１０ａ〜１１０ｆは、Ｚ方向において、主面１１０ｇおよび複数のリード部材１２０に対して側壁部６６側に位置する。複数の突出面１１０ｂ〜１１０ｅは、側壁部６６側から見た場合に、複数のリード部材１２０の間に位置する。突出面１１０ｂのＹ方向の寸法（幅）は、突出面１１０ｂのＸ方向の寸法（幅）よりも大きい。同様に、突出面１１０ｃ〜１１０ｅのＹ方向の寸法（幅）はそれぞれ、突出面１１０ｃ〜１１０ｅのＸ方向の寸法（幅）よりも大きい。
【００７８】
図６を参照して、第２保持部１０４は、Ｚ方向における他端部（この実施形態では側壁部７２（図５参照）側の端部）に、複数の電池９８の側壁部７２側への移動を規制する複数の規制部１４２を有する。この実施形態では、７つの規制部１４２が設けられる（図６では、７つの規制部１４２のうちの５つの規制部１４２を示している）。各規制部１４２は、側壁部７２側に向かって突出しかつＹ方向に延びる。複数の規制部１４２は、Ｘ方向に間隔をおいて設けられる。この実施形態では、各規制部１４２は、複数のリード部材１２２，１２４，１２６の間に設けられる。
【００７９】
図６を参照して、側壁部７２（図５参照）側から見た場合に（Ｚ方向視において）、各電池９８の一部と規制部１４２の一部とが重なる。これにより、複数の規制部１４２によって複数の電池９８の移動が規制される。なお、この実施形態では、第１保持部１０２の規制部１３０は４つの突出部１３４，１３６，１３８，１４０を含んで構成されているが、第２保持部１０４の規制部１４２はＹ方向に延びる１つの突出部として構成される。
【００８０】
端面１１６は、側壁部７２（図５参照）側に突出する複数の突出面１１６ａ、および主面１１６ｂを含む。この実施形態では、突出面１１６ａは、規制部１４２の側壁部７２側の端面である。複数の突出面１１６ａは、Ｘ方向に間隔をおいて形成される。また、主面１１６ｂは、端面１１６のうち、側壁部７２側から見た場合に複数の突出面１１６ａを除く領域である。
【００８１】
この実施形態では、複数の突出面１１６ａのＺ方向における位置は互いに等しい。複数の突出面１１６ａは、側壁部７２に対して平行に設けられる。同様に、主面１１６ｂは、側壁部７２に対して平行に設けられる。したがって、主面１１６ｂは、複数の突出面１１６ａに対して平行に設けられる。複数の突出面１１６ａおよび主面１１６ｂは、ＸＹ平面に対して平行に設けられる。言い換えると、複数の突出面１１６ａおよび主面１１６ｂは、Ｚ方向に直交する。複数の突出面１１６ａは、Ｚ方向において、主面１１６ｂおよび複数のリード部材１２２，１２４，１２６よりも側壁部７２側に位置する。言い換えると、複数の突出面１１６ａは、Ｚ方向において、主面１１６ｂおよび複数のリード部材１２２，１２４，１２６に対して側壁部７２側に位置する。複数の突出面１１６ａは、側壁部７２側から見た場合に、複数のリード部材１２２，１２４，１２６の間に位置する。突出面１１６ａのＹ方向の寸法（幅）は、突出面１１６ａのＸ方向の寸法（幅）よりも大きい。
【００８２】
図１０は、第２電池ユニット６４を示す断面図解図である。なお、図１０においては、図面が煩雑になることを避けるために、第２電池ユニット６４の一部の図示を省略している。
【００８３】
図１０を参照して、第２電池ユニット６４は、互いに平行に配置される複数の電池９８および複数の電池９８を保持する電池保持部１４４を有する。電池保持部１４４は、略直方体状の第１保持部１４６と略直方体状の第２保持部１４８とを含む。
【００８４】
第１保持部１４６は、第１電池ユニット６２（図６参照）の第２保持部１０４（図６参照）と同様に、Ｘ方向に１４行かつＹ方向に７列になるように格子状に配列される複数の貫通孔１５０を有する。複数の貫通孔１５０は、第１保持部１４６の一方側（この実施形態では側壁部９２（図５参照）側）の端面１５２と他方側（この実施形態では第２保持部１４８側）の端面１５４とを連通させるようにＺ方向に延びる。
【００８５】
第２保持部１４８は、第１電池ユニット６２（図６参照）の第１保持部１０２（図６参照）と同様に、Ｘ方向に１４行かつＹ方向に７列になるように格子状に配列される複数の貫通孔１５６、およびボス部１５８ａ，１５８ｂ，１５８ｃ，１５８ｄ（図５参照）を有する。複数の貫通孔１５６は、第２保持部１４８の一方側（この実施形態では側壁部８２（図５参照）側）の端面１６０と他方側（この実施形態では第１保持部１４６側）の端面１６２とを連通させるようにＺ方向に延びる。端面１５２および端面１６０はそれぞれ、Ｚ方向に交差する。言い換えると、端面１５２および端面１６０はそれぞれ、少なくともＸ方向とＹ方向とに延びる。端面１５２と端面１６０とは、Ｚ方向に離れて形成される。
【００８６】
第２電池ユニット６４においては、端面１５２が第１端面に相当し、端面１６０が第２端面に相当する。この実施形態では、端面１５２は側壁部９２（図５参照）に対向し、端面１６０は側壁部８２（図５参照）に対向する。
【００８７】
図１０を参照して、複数の貫通孔１５０と複数の貫通孔１５６とがそれぞれ連通するようにかつ複数の電池９８がそれぞれ一対の貫通孔１５０，１５６に収容されるように、第１保持部１４６と第２保持部１４８とが接続される。複数の電池９８は、Ｘ方向に３行以上かつＹ方向に３列以上に配列される。この実施形態では、複数の電池９８は、Ｘ方向に１４行かつＹ方向に７列になるように格子状に配列される。第２電池ユニット６４の複数の電池９８は、たとえば第１電池ユニット６２の複数の電池９８と同様に、奇数行に配置される電池９８と偶数行に配置される電池９８とが逆方向を向くように電池保持部１４４に保持される。
【００８８】
第１保持部１４６の端面１５２側において複数の電池９８を電気的に接続するように、Ｙ方向に延びる複数の板状のリード部材１６４，１６６，１６８が設けられる。この実施形態では、１つのリード部材１６４、６つのリード部材１６６および１つのリード部材１６８が設けられる。複数のリード部材１６４，１６６，１６８は、第１電池ユニット６２の複数のリード部材１２２，１２４，１２６と同様に、端面１５２と側壁部９２（図５参照）との間においてＸ方向に間隔をおいて設けられる。具体的には、１行目の複数の電池９８にリード部材１６４が接続される。２行目から１３行目の複数の電池９８に６つのリード部材１６６が接続される。より具体的には、２つの行の複数の電池９８毎に１つのリード部材１６６が接続される。１４行目の複数の電池９８にリード部材１６８が接続される。
【００８９】
第２保持部１４８の端面１６０側において複数の電池９８を電気的に接続するように、Ｙ方向に延びる複数（この実施形態では７つ）の板状のリード部材１７０が設けられる。複数のリード部材１７０は、第１電池ユニット６２（図６参照）のリード部材１２０（図６参照）と同様に、端面１６０と側壁部８２（図５参照）との間においてＸ方向に間隔をおいて設けられる。より具体的には、２つの行の複数の電池９８毎に１つのリード部材１７０が設けられる。
【００９０】
リード部材１６４，１６６，１６８，１７０は、たとえば複数の電池９８に溶着される。
【００９１】
図１０を参照して、第１保持部１４６は、第１電池ユニット６２（図６参照）の第２保持部１０４（図６参照）と同様に、複数（この実施形態では７つ）の規制部１７２を有する。各規制部１７２は、側壁部９２（図５参照）側に向かって突出しかつＹ方向に延びる。複数の規制部１７２は、Ｘ方向に間隔をおいて設けられる。なお、第２保持部１０４（図６参照）の規制部１４２（図６参照）は１つの突出部として構成されているが、規制部１７２は、第１保持部１０２（図８参照）の規制部１３０（図８参照）と同様に、複数の突出部を含んで構成される。詳細な説明は省略するが、端面１５２は、主面および複数の突出面を含む。端面１５２の複数の突出面は、規制部１７２の複数の突出部の側壁部９２側の端面である。端面１５２の主面は、端面１５２のうち、側壁部９２側から見た場合に複数の突出面を除く領域である。
【００９２】
第２保持部１４８は、第１電池ユニット６２の第１保持部１０２（図８参照）と同様に、複数の規制部１７４，１７６，１７８を有する。この実施形態では、１つの規制部１７４、６つの規制部１７６および１つの規制部１７８が設けられる。複数の規制部１７４，１７６，１７８は、側壁部８２（図５参照）側に向かって突出しかつＹ方向に延びる。複数の規制部１７４，１７６，１７８は、Ｘ方向に間隔をおいて設けられる。なお、第１保持部１０２（図８参照）の規制部１３０（図８参照）は複数の突出部１３４，１３６，１３８，１４０（図８参照）を含んで構成されているが、規制部１７６は１つの突出部として構成される。規制部１７４は規制部１２８（図８参照）と同様の構成を有し、規制部１７８は規制部１３２（図８参照）と同様の構成を有する。詳細な説明は省略するが、端面１６０は、主面および複数の突出面を含む。端面１６０の複数の突出面は、複数の規制部１７４，１７６，１７８の側壁部８２側の端面である。端面１６０の主面は、端面１６０のうち、側壁部８２側から見た場合に複数の突出面を除く領域である。
【００９３】
図５を参照して、第１電池ユニット６２と第２電池ユニット６４とを連結するように、接続ユニット１８０、リード部材１８２、およびリード部材１８４が設けられる。接続ユニット１８０は、基板１８６および基板１８６に固定される複数のリード部材１８８を含む。接続ユニット１８０は、ケース部材５６の貫通孔７２ｂおよびケース部材５８の貫通孔８２ｂに挿通され、リード部材１８２は、ケース部材５６の貫通孔７２ｃおよびケース部材５８の貫通孔８２ｃに挿通され、リード部材１８４は、ケース部材５６の貫通孔７２ｄおよびケース部材５８の貫通孔８２ｄに挿通される。第１電池ユニット６２の複数の電池９８（図６参照）と第２電池ユニット６４の複数の電池９８（図１０参照）とは、リード部材１８２、リード部材１８４および複数のリード部材１８８を介して電気的に接続される。この実施形態では、ケース５２に設けられるプラスの電源端子（図示せず）およびマイナスの電源端子（図示せず）を介して第１電池ユニット６２および第２電池ユニット６４の複数の電池９８に対して電力の入出力が行われる。
【００９４】
図５を参照して、第１電池ユニット６２は、ケース部材５４とケース部材５６とによって収容され、第２電池ユニット６４は、ケース部材５８とケース部材６０とによって収容される。ケース部材５４の周壁部６８とケース部材５６の周壁部７４とは、環状のシール部材１９０を挟んで互いに組み合わされる。ケース部材５８の周壁部８４とケース部材６０の周壁部９４とは、環状のシール部材１９２を挟んで互いに組み合わされる。
【００９５】
シール部材１９０およびシール部材１９２としては、種々のガスケットを用いることができる。この実施形態では、シール部材１９０，１９２として、たとえば、樹脂（ゴムまたはプラスチック等）、金属または液体によって構成されたガスケットを用いることができる。後述のシール部材１９６ａ，１９６ｂ，１９８，２００，２０４，２０８についても同様である。
【００９６】
ケース部材５６とケース部材５８とに挟まれるように、ナット１９４ａ，１９４ｂ，１９４ｃ，１９４ｄが設けられる。
【００９７】
ナット１９４ａは、ケース部材５６のボス部８０ａとケース部材５８のボス部９０ａとによって収容され、ナット１９４ｂは、ケース部材５６のボス部８０ｂとケース部材５８のボス部９０ｂとによって収容される。ボス部８０ａとボス部９０ａとは、環状のシール部材１９６ａを挟んで互いに組み合わされ、ボス部８０ｂとボス部９０ｂは、環状のシール部材１９６ｂを挟んで互いに組み合わされる。
【００９８】
ナット１９４ｃ，１９４ｄは、ケース部材５６の連結部７８とケース部材５８の連結部８８とによって収容される。ナット１９４ｃは、ボス部８０ｃとボス部９０ｃとに挟まれるように設けられ、ナット１９４ｄは、ボス部８０ｄとボス部９０ｄとに挟まれるように設けられる。連結部７８と連結部８８とは、環状のシール部材１９８を挟んで互いに組み合わされる。ケース部材５６の連結部７６とケース部材５８の連結部８６とは、環状のシール部材２００を挟んで互いに組み合わされる。
【００９９】
上記のようにして組み合わされたケース５２は、複数のボルト２０２によって第１電池ユニット６２および第２電池ユニット６４に連結される。
【０１００】
この実施形態では、４本のボルト２０２が、ケース部材５４のボス部７０ａ，７０ｂ，７０ｃ，７０ｄ、第１電池ユニット６２のボス部１０８ａ，１０８ｂ，１０８ｃ，１０８ｄ、およびケース部材５６のボス部８０ａ，８０ｂ，８０ｃ，８０ｄに差し込まれる。同様に、４本のボルト２０２（図５においては３本のボルト２０２のみ図示）が、ケース部材６０のボス部９６ａ，９６ｂ，９６ｃ，９６ｄ、第２電池ユニット６４のボス部１５８ａ，１５８ｂ，１５８ｃ，１５８ｄ、およびケース部材５８のボス部９０ａ，９０ｂ，９０ｃ，９０ｄに差し込まれる。複数のボルト２０２の先端部は、ナット１９４ａ，１９４ｂ，１９４ｃ，１９４ｄに固定される。これにより、ケース５２、第１電池ユニット６２および第２電池ユニット６４が連結される。なお、ボス部７０ａ，７０ｂ，７０ｃ，７０ｄ，９６ａ，９６ｂ，９６ｃ，９６ｄにはそれぞれ、環状のシール部材２０４が嵌め込まれる。
【０１０１】
図１１は、上述のようにして連結されたケース５２と第１電池ユニット６２との関係を示す図である。
【０１０２】
図１１を参照して、ケース５２と第１電池ユニット６２とを連結する際には、第１保持部１０２の規制部１２８と規制部１３０との間、規制部１３０と規制部１３０との間、および規制部１３０と規制部１３２との間にそれぞれ側壁部６６の突出部６６ａが配置される。これにより、複数の突出部６６ａと複数のリード部材１２０とを近接または接触させることができる。すなわち、側壁部６６と複数のリード部材１２０とを近接または接触させることができる。同様に、第２保持部１０４の規制部１４２と規制部１４２との間に側壁部７２の突出部７２ａが配置される。これにより、複数の突出部７２ａと複数のリード部材１２４とを近接または接触させることができる。すなわち、側壁部７２と複数のリード部材１２４とを近接または接触させることができる。同様に、図５および図１０を参照して、ケース５２と第２電池ユニット６４とを連結する際には、第１保持部１４６の規制部１７２と規制部１７２との間に側壁部９２の突出部９２ａが配置される。また、第２保持部１４８の規制部１７４と規制部１７６との間、規制部１７６と規制部１７６との間、および規制部１７６と規制部１７８との間にそれぞれ側壁部８２の突出部８２ａが配置される。
【０１０３】
図４および図５を参照して、ケース部材５４の側壁部６６は、複数（この実施形態では１８本）のネジ２０６によって第１電池ユニット６２の第１保持部１０２の端面１１０（図６参照）に固定される。この実施形態では、側壁部６６は、Ｘ方向における複数位置およびＹ方向における複数位置において端面１１０に固定される。より具体的には、側壁部６６は、Ｘ方向において６つの位置およびＹ方向において３つの位置において端面１１０に固定される。なお、側壁部６６を端面１１０に固定するための固定部材としてのネジ２０６は、通常のネジ（ボルト）であってもよく、タッピングスクリュー等の特殊なネジであってもよい。
【０１０４】
図１２は、側壁部６６、第１保持部１０２およびネジ２０６の関係を示す断面図である。
【０１０５】
図４、図８および図１２を参照して、第１保持部１０２は、Ｚ方向に延びかつ端面１１０の主面１１０ｇにおいて開口する複数（この実施形態では１８個）のネジ穴１０２ａを有する。ネジ穴１０２ａは、Ｘ方向における複数位置およびＹ方向における複数位置に形成される。この実施形態では、ネジ穴１０２ａは、Ｘ方向において６つの位置およびＹ方向において３つの位置に形成される。
【０１０６】
図８を参照して、この実施形態では、側壁部６６（図５参照）側から見た場合に、突出面１１０ｂ（突出部１３４）と突出面１１０ｃ（突出部１３６）との間、突出面１１０ｃ（突出部１３６）と突出面１１０ｄ（突出部１３８）との間、および突出面１１０ｄ（突出部１３８）と突出面１１０ｅ（突出部１４０）との間にそれぞれネジ穴１０２ａが形成される。
【０１０７】
図１２を参照して、ケース部材５４の側壁部６６は、複数の凸部６６ｂおよび複数の貫通孔６６ｃを有する。凸部６６ｂは、断面円形状（ＸＹ平面に対して平行な断面において）を有し、第１保持部１０２側に向かって突出するように側壁部６６の内面６６ｄ側に形成される。貫通孔６６ｃは断面円形状（ＸＹ平面に対して平行な断面において）を有し、凸部６６ｂを通って側壁部６６をＺ方向に貫通するように形成される。貫通孔６６ｃは、側壁部６６の内面６６ｄにおいて開口する小径部６６ｅおよび側壁部６６の外面６６ｆにおいて開口しかつ小径部６６ｅよりも大きい直径を有する大径部６６ｇを含む。Ｚ方向視において、小径部６６ｅおよび大径部６６ｇは同心状に設けられる。
【０１０８】
複数の凸部６６ｂおよび複数の貫通孔６６ｃは、複数のネジ穴１０２ａに対応するようにＸ方向における複数位置およびＹ方向における複数位置に形成される。したがって、この実施の形態では、凸部６６ｂおよび貫通孔６６ｃは、Ｘ方向において６つの位置およびＹ方向において３つの位置に形成される。
【０１０９】
図４および図１２を参照して、突出部１３４と突出部１３６との間、突出部１３６と突出部１３８との間、および突出部１３８と突出部１４０との間にそれぞれ側壁部６６の凸部６６ｂが配置される。
【０１１０】
図１２を参照して、貫通孔６６ｃの大径部６６ｇ内に、環状のシール部材２０８が嵌め込まれる。シール部材２０８を介してネジ２０６が貫通孔６６ｃに差し込まれ、ネジ２０６がネジ穴１０２ａに螺合される。この実施形態では、側壁部６６の内面６６ｄが複数の突出面１１０ａ〜１１０ｆ（図８参照）および主面１１０ｇに接触するように、複数のネジ２０６が締め付けられる。
【０１１１】
図５を参照して、詳細な説明は省略するが、ケース部材６０の側壁部９２には、凸部６６ｂ（図１２参照）と同様の構成を有する複数の凸部９２ｂ、および貫通孔６６ｃ（図１２参照）と同様の構成を有する複数の貫通孔（図示せず）が設けられる。側壁部９２は、側壁部６６と同様に、複数のネジ２０６によって第２電池ユニット６４の第１保持部１４６の端面１５２（図１０参照）に固定される。各ネジ２０６は、シール部材２０８を介して側壁部９２の貫通孔に差し込まれる。
【０１１２】
以下、電池パック４０の作用効果を説明する。
電池パック４０では、第１電池ユニット６２の複数の電池９８で発生した熱は、電池保持部１００に伝達される。ケース５２の側壁部６６は、複数の電池９８から電池保持部１００に伝達された熱を電池保持部１００の端面１１０から受ける。したがって、電池パック４０では、第１電池ユニット６２の複数の電池９８で発生した熱は、電池保持部１００に伝達された後、電池保持部１００の端面１１０を介してケース５２の側壁部６６へ伝達され、放熱される。ここで、電池パック４０では、ケース５２の側壁部６６はＸ方向における複数位置およびＹ方向における複数位置で端面１１０に固定される。この場合、ケース５２の成形精度を高めることなく側壁部６６と端面１１０とを容易に接触させることができるとともに、側壁部６６と端面１１０との密着性を高めることができる。これにより、電池保持部１００からケース５２へ伝達される熱量を増加させることができる。特に、側壁部６６と端面１１０との密着性が高まることによって、熱がこもり易い電池保持部１００の中央部の熱も、効率よくケース５２に伝達することができる。
【０１１３】
また、電池保持部１００の端面１１０および端面１１６はそれぞれ、Ｚ方向に交差する。言い換えると、端面１１０および端面１１６はそれぞれ、少なくともＸ方向とＹ方向とに延びる。ここで、電池パック４０では、電池保持部１００において複数の電池９８は、Ｘ方向に３行以上かつＹ方向に３列以上に配列される。この場合、複数の電池９８を保持する電池保持部１００のＸ方向およびＹ方向の寸法が大きくなるので、それぞれＸ方向とＹ方向とに延びる端面１１０および端面１１６の面積も大きくなる。これにより、電池保持部１００から端面１１０を介してケース５２の側壁部６６に伝達される熱量を十分に増やすことができる。また、端面１１０の面積が大きくなることによって、端面１１０に固定される側壁部６６の剛性を容易に向上させることができる。
【０１１４】
ケース５２の側壁部９２と第２電池ユニット６４の電池保持部１４４との関係も、ケース５２の側壁部６６と第１電池ユニット６２の電池保持部１００との上述の関係と同様である。
【０１１５】
また、一般に、電池パックの製造を容易にするために、電池パックのケースは少なくとも２つ以上に分割される。電池パック４０では、ケース５２はＺ方向において少なくとも２つのケース部材（この実施形態では４つのケース部材５４，５６，５８，６０）に分割されるので、ケース５２をＸ方向またはＹ方向に分割しなくてもよい。したがって、ケース部材５４の側壁部６６をＸ方向またはＹ方向に分割しなくてもよい。この場合、側壁部６６を分割して構成する場合に比べて、側壁部６６を端面１１０に容易に固定できるとともに側壁部６６の熱伝導性を向上できる。また、側壁部６６を端面１１０により安定して接触させることができる。ケース部材６０の側壁部９２についても同様である。
【０１１６】
以上の結果、電池パック４０を容易に製造でき、かつ電池９８から電池保持部１００，１４４を介してケース５２へ伝達される熱量を増やすことができる。
【０１１７】
ケース部材５４の側壁部６６は、複数のリード部材１２０の間の複数位置において電池保持部１００の端面１１０に固定されるので、側壁部６６と端面１１０との接触部が一か所に偏ってしまうことを防止できる。それにより、電池保持部１００からケース５２に効率よく熱を伝達できる。同様に、ケース部材６０の側壁部９２は、複数のリード部材１６４，１６６，１６８の間の複数位置において電池保持部１４４の端面１５２に固定されるので、側壁部９２と端面１５２との接触部が一か所に偏ってしまうことを防止できる。それにより、電池保持部１４４からケース５２に効率よく熱を伝達できる。
【０１１８】
電池パック４０では、電池保持部１００の端面１１０が突出面１１０ｂ〜１１０ｅを含むので、突出面１１０ｂ〜１１０ｅにおいて端面１１０と側壁部６６とを容易に接触させることができる。この場合、側壁部６６は、複数の電池９８から電池保持部１００に伝達された熱の少なくとも一部を突出面１１０ｂ〜１１０ｅから受けることができる。これにより、電池保持部１００からケース５２に伝達される熱量を容易に増やすことができる。電池保持部１４４の端面１５２とケース部材６０の側壁部９２との関係についても同様である。
【０１１９】
電池保持部１００の端面１１０は、平坦面としての突出面１１０ｂ〜１１０ｅを含む。この場合、平坦面としての突出面１１０ｂ〜１１０ｅにおいて端面１１０と側壁部６６とを容易に接触させることができる。これにより、電池保持部１００からケース５２に伝達される熱量を容易に増やすことができる。電池保持部１４４の端面１５２についても同様である。
【０１２０】
側壁部６６は、突出面１１０ｂ〜１１０ｅに隣接する位置において端面１１０（主面１１０ｇ）に固定されるので、側壁部６６を突出面１１０ｂ〜１１０ｅに容易に接触させることができる。これにより、電池保持部１００からケース５２に伝達される熱量を確実に増やすことができる。特に、電池パック４０では、突出面１１０ｂ〜１１０ｅが平坦面として構成されるので、側壁部６６を突出面１１０ｂ〜１１０ｅにより確実に接触させることができる。同様に、側壁部９２は、端面１５２の突出面（規制部１７２）に隣接する位置において端面１５２に固定される。これにより、側壁部９２を端面１５２の突出面に容易に接触させることができる。
【０１２１】
電池パック４０では、固定部材としてのネジ２０６によって、側壁部６６を端面１１０に容易かつ確実に固定できる。同様に、ネジ２０６によって側壁部９２を端面１５２に容易かつ確実に固定できる。
【０１２２】
電池保持部１００は、第１保持部１０２および第２保持部１０４に分割された構成を有する。この場合、第１保持部１０２および第２保持部１０４によって挟むようにして複数の電池９８を保持することができる。これにより、電池保持部１００の構造を簡単にできるとともに、電池パック４０の組み立てが容易になる。電池保持部１４４についても同様である。
【０１２３】
電池パック４０では、複数の電池９８が格子状に配列される。この場合、各電池９８で発生した熱を電池保持部１００，１４４において効率よく拡散することができる。それにより、各電池９８で発生した熱を効率よく放熱できる。
【０１２４】
電池パック４０では、側壁部６６は、凸部６６ｂにおいて電池保持部１００の端面１１０（主面１１０ｇ）に固定される。この場合、凸部６６ｂにおいて側壁部６６の剛性が向上するので、ネジ２０６（固定部材）の締め付け力等によって側壁部６６に変形が生じることを防止できる。これにより、側壁部６６と端面１１０とをより確実に接触させることができる。側壁部９２についても同様である。
【０１２５】
上述の実施形態では、第１電池ユニット６２および第２電池ユニット６４において、複数の電池９８が格子状に配列されているが、電池ユニットにおける複数の電池の配列例は上述の例に限定されない。たとえば、複数の電池が電池ユニットにおいて千鳥状に配列されてもよい。
【０１２６】
図１３は、複数の電池９８が千鳥状に配列された電池ユニット２１０を示す図である。
【０１２７】
図１３を参照して、電池ユニット２１０は、互いに平行に配置される複数の電池９８および複数の電池９８を保持する電池保持部２１２を有する。複数の電池９８は、Ｘ方向に１４行およびＹ方向に８列になるように千鳥状に配置される。
【０１２８】
複数の電池９８の一端部を電気的に接続するように複数のリード部材２１４，２１６，２１８が設けられる。この実施形態では、１つのリード部材２１４、６つのリード部材２１６および１つのリード部材２１８が設けられる。詳細な説明は省略するが、電池９８の他端部を電気的に接続するように複数（この実施形態では７つ）のリード部材（図示せず）が設けられる。
【０１２９】
図１４は、電池保持部２１２を示す図である。
【０１３０】
図１３および図１４を参照して、電池保持部２１２は、それぞれＺ方向に交差する第１端面２２０および第２端面（図示せず）を有する。第１端面２２０および第２端面は、Ｚ方向に離れて形成される。電池保持部２１２の第１端面２２０側には、複数の規制部２２２，２２４が設けられる。複数の規制部２２２，２２４は、Ｘ方向において間隔をおいて設けられる。この実施形態では、６つの規制部２２２および１つの規制部２２４が設けられる。詳細な説明は省略するが、電池保持部２１２の第２端面（図示せず）側にも複数（たとえば８つ）の規制部が設けられる。
【０１３１】
図１３を参照して、複数の規制部２２２，２２４は、複数のリード部材２１４，２１６，２１８の間にそれぞれ設けられる。図１３および図１４を参照して、各規制部２２２は、Ｙ方向に互いに離れてかつＹ方向に並んで設けられる複数の突出部２２６，２２８，２３０，２３２を含む。
【０１３２】
図１４を参照して、第１端面２２０は、Ｚ方向に突出する複数の突出面２２０ａ，２２０ｂ，２２０ｃ，２２０ｄ、Ｚ方向に突出する突出面２２０ｅ、および主面２２０ｆを含む。図１３を参照して、突出面２２０ａは、突出部２２６のＺ方向における端面であり、突出面２２０ｂは、突出部２２８のＺ方向における端面であり、突出面２２０ｃは、突出部２３０のＺ方向における端面であり、突出面２２０ｄは、突出部２３２のＺ方向における端面であり、突出面２２０ｅは、規制部２２４のＺ方向における端面である。主面２２０ｆは、第１端面２２０のうち、Ｚ方向視において複数の突出面２２０ａ〜２２０ｅを除く領域である。
【０１３３】
この実施形態では、突出面２２０ａ〜２２０ｅおよび主面２２０ｆは平坦面として形成される。複数の突出面２２０ａ〜２２０ｅのＺ方向における位置は互いに等しい。突出面２２０ａのＹ方向の寸法（幅）は、突出面２２０ｂのＸ方向の寸法（幅）よりも大きい。同様に、突出面２２０ｂ〜２２０ｅのＹ方向の寸法（幅）はそれぞれ、突出面２２０ｂ〜２２０ｅのＸ方向の寸法（幅）よりも大きい。なお、突出面２２０ａ〜２２０ｅと主面２２０ｆとのＺ方向における位置関係は、上述の突出面１１０ａ〜１１０ｆと主面１１０ｇとのＺ方向における位置関係と同様である。
【０１３４】
詳細な説明は省略するが、電池保持部２１２の第２端面（図示せず）も主面および複数の突出面を含む。
【０１３５】
図１３および図１４を参照して、電池保持部２１２は、第１端面２２０の主面２２０ｆにおいて開口する複数のネジ穴２１２ａを有する。ネジ穴２１２ａは、Ｘ方向における複数位置およびＹ方向における複数位置に形成される。この実施形態では、ネジ穴２１２ａは、Ｘ方向において６つの位置およびＹ方向において３つの位置に形成される。
【０１３６】
電池ユニット２１０を収容するケース（図示せず）には、上述のケース５２と同様に、複数の凸部（図示せず）および複数の貫通孔（図示せず）が設けられる。具体的には、ケースの側壁部において複数のネジ穴２１２ａに対応する位置に、複数の凸部（図示せず）および複数の貫通孔（図示せず）が形成される。そして、各貫通孔にネジが差し込まれ、そのネジがネジ穴２１２ａに螺合される。これにより、ケース（図示せず）の側壁部（図示せず）がＸ方向における複数位置およびＹ方向における複数位置において第１端面２２０に固定される。
【０１３７】
電池ユニット２１０を備えた電池パックにおいても、上述の電池パック４０と同様の作用効果が得られる。したがって、容易に製造でき、かつ電池９８から電池保持部を介してケースへ伝達される熱量を増加させることができる電池パックが得られる。なお、電池保持部２１２においては複数の電池９８が千鳥状に配置されているが、複数の電池９８が格子状に配置された上述の電池保持部１００，１４４と同様に、各電池９８で発した熱を電池保持部２１２において効率よく拡散できる。それにより、各電池９８で発生した熱を効率よく放熱できる。また、複数の電池９８を千鳥状に配置することによって、電池保持部２１２（第１端面２２０）のＸ方向の寸法を小さくできる。
【０１３８】
図１５は、電池パックの他の例を示す斜視図である。
【０１３９】
図１５に示す電池パック４０ａが上述の電池パック４０と異なるのは、ケース５２の代わりにケース５２ａが設けられている点である。ケース５２ａがケース５２と異なるのは、ケース部材５４の代わりにケース部材２３４が設けられている点、ケース部材６０の代わりにケース部材２３６が設けられている点、放熱板２３８を有している点、および放熱板２４０を有している点である。ケース部材２３４，２３６および放熱板２３８，２４０以外の電池パック４０ａの構成は電池パック４０の構成と等しいので、ケース部材２３４，２３６および放熱板２３８，２４０以外の電池パック４０ａの構成については説明を省略する。
【０１４０】
また、ケース部材２３４が上述のケース部材５４と異なるのは、側壁部６６の代わりに側壁部２４２が設けられている点である。側壁部２４２以外のケース部材２３４の構成はケース部材５４の構成と等しいので、側壁部２４２以外のケース部材２３４の構成については説明を省略する。同様に、ケース部材２３６が上述のケース部材６０と異なるのは、側壁部９２の代わりに側壁部２４４が設けられている点である。側壁部２４４以外のケース部材２３６の構成はケース部材６０の構成と等しいので、側壁部２４４以外のケース部材２３６の構成については説明を省略する。
【０１４１】
図１６は、ケース部材２３４、ケース部材２３６、放熱板２３８および放熱板２４０を示す斜視図であり、図１７は、第１保持部１０２、ケース部材２３４の側壁部２４２、および放熱板２３８の関係を示す断面図である。
【０１４２】
図１５および図１６を参照して、側壁部２４２の外面２４２ａには、Ｚ方向視において長方形状を有する凹部２４２ｂが設けられる。また、側壁部２４２の内面２４２ｃ（図１５参照）には、第１電池ユニット６２側に向かって突出する複数の突出部２４２ｄ（図１６参照）が設けられる。第１保持部１０２の規制部１２８（図１０参照）と規制部１３０（図１０参照）との間、規制部１３０と規制部１３０との間、および規制部１３０と規制部１３２（図１０参照）との間にそれぞれ突出部２４２ｄが配置される。
【０１４３】
図１７を参照して、側壁部２４２は、凸部６６ｂ（図１２参照）と同様の構成を有する複数の凸部２４２ｅおよび貫通孔６６ｃ（図１２参照）と同様の構成を有する複数の貫通孔２４２ｆを有する。複数の凸部２４２ｅおよび複数の貫通孔２４２ｆは、複数のネジ穴１０２ａ（図８参照）に対応して設けられる。
【０１４４】
図１５を参照して、側壁部２４４の外面２４４ａには、凹部２４２ｂと同様の形状を有する凹部２４４ｂが設けられる。また、図１５および図１６を参照して、側壁部２４４の内面２４４ｃには、第２電池ユニット６４側に向かって突出する複数の突出部２４４ｄが設けられる。複数の突出部２４４ｄはそれぞれ、第１保持部１４６の規制部１７２（図９参照）と規制部１７２との間に配置される。
【０１４５】
図１６を参照して、側壁部２４４は、凸部６６ｂ（図１２参照）と同様の構成を有する複数の凸部２４４ｅおよび貫通孔６６ｃ（図１２参照）と同様の構成を有する複数の貫通孔（図示せず）を有する。
【０１４６】
放熱板２３８は複数の貫通孔２３８ａを有する。複数の貫通孔２３８ａは、側壁部２４２の複数の貫通孔２４２ｆに対応して設けられる。同様に、放熱板２４０は複数の貫通孔２４０ａを有する。複数の貫通孔２４０ａは、側壁部２４４の複数の貫通孔（図示せず）に対応して設けられる。放熱板２３８は、ケース部材２３４の凹部２４２ｂに嵌められる。同様に、放熱板２４０は、ケース部材２３６の凹部２４４ｂ（図１５参照）に嵌められる。放熱板２３８の熱伝導率は、側壁部２４２の熱伝導率よりも高い。放熱板２４０の熱伝導率は、側壁部２４４の熱伝導率よりも高い。放熱板２３８，２４０はそれぞれ、たとえば、金属材料および樹脂材料のうちの少なくとも一方を含む。放熱板２３８，２４０に用いられる金属材料には、たとえば、アルミニウム、鉄、ステンレス、およびチタンのうちの少なくとも一つが含まれる。放熱板２３８，２４０に用いられる樹脂材料には、たとえば、炭素繊維強化樹脂が含まれる。
【０１４７】
図１７を参照して、放熱板２３８の貫通孔２３８ａは、一方側（この実施形態ではケース部材２３４側）の側面２３８ｂにおいて開口する小径部２３８ｃおよび他方側の側面２３８ｄにおいて開口しかつ小径部２３８ｃよりも大きい直径を有する大径部２３８ｅを含む。Ｚ方向視において、小径部２３８ｃおよび大径部２３８ｅは同心状に設けられる。
【０１４８】
図１５および図１７を参照して、放熱板２３８は、複数のネジ２０６によって側壁部２４２に固定される。より具体的には、図１７を参照して、貫通孔２４２ｆの大径部２４２ｇおよび貫通孔２３８ａの大径部２３８ｅにそれぞれシール部材２０８が設けられた状態で、ネジ２０６が貫通孔２３８ａ，２４２ｆに差し込まれ、ネジ２０６がネジ穴１０２ａに螺合される。これにより、放熱板２３８がケース部材２３４の側壁部２４２に固定されるとともに、側壁部２４２が第１保持部１０２の端面１１０に固定される。詳細な説明は省略するが、放熱板２３８と同様に放熱板２４０は複数のネジ２０６によってケース部材２３６の側壁部２４４に固定される。
【０１４９】
電池パック４０ａにおいても、上述の電池パック４０と同様の作用効果が得られる。したがって、電池パック４０ａを容易に製造でき、かつ電池９８から電池保持部１００，１４４を介してケース５２ａへ伝達される熱量を増加させることができる。また、電池パック４０ａは放熱板２３８，２４０を有している。これにより、電池保持部１００，１４４からケース部材２３４，２３６に伝達された熱を放熱板２３８，２４０において効率よく放熱できる。また、電池パック４０ａでは、複数のネジ２０６によって放熱板２３８がケース部材２３４および電池保持部１００に固定され、複数のネジ２０６によって放熱板２４０がケース部材２３６および電池保持部１４４に固定される。これにより、電池保持部１００、ケース部材２３４および放熱板２３８の密着性が向上し、電池保持部１４４、ケース部材２３６および放熱板２４０の密着性が向上する。その結果、電池保持部１００からケース部材２３４（側壁部２４２）を介して放熱板２３８に伝達される熱量および電池保持部１４４からケース部材２３６（側壁部２４４）を介して放熱板２４０に伝達される熱量を十分に増やすことができる。これにより、電池パック４０ａの放熱性が十分に向上する。
【０１５０】
上述のような放熱板を備えた電池パックにおいても、図１３で説明したように複数の電池９８を千鳥状に配置してもよい。
【０１５１】
なお、インサート成形によって放熱板２３８，２４０をケースに設けてもよい。
【０１５２】
上述の電池パック４０，４０ａにおいて、ヒートシンクをさらに設けてもよい。たとえば、図４を参照して、側壁部６６の外面６６ｆ、周壁部６８の外面、側壁部７２の外面、周壁部７４の外面、側壁部８２の外面、周壁部８４の外面、側壁部９２の外面、および周壁部９４の外面のいずれかにヒートシンクを設けてもよい。
【０１５３】
ヒートシンクは、たとえば、上述の放熱板２３８，２４０と同様に、ネジ２０６によって、ケース部材および電池保持部に固定されてもよい。この場合、電池保持部、ケース部材およびヒートシンクの密着性を向上できるので、電池パックの放熱性を向上できる。
【０１５４】
ケース部材の周壁部の各面にそれぞれヒートシンクを設ける場合には、各面に設けられたヒートシンクを互いに連結してもよい。この場合、複数のヒートシンクの温度勾配を緩やかにすることができ、電池パックの放熱性を向上できる。
【０１５５】
ヒートシンクの代わりに放熱板を設けてもよい。
【０１５６】
側壁部７２（図５参照）を、たとえば複数の固定部材（ネジ２０６）によって電池保持部１００の端面１１６（図６参照）に固定してもよく、側壁部８２を、たとえば複数の固定部材（ネジ２０６）によって電池保持部１４４の端面１６０（図１０参照）に固定してもよい。
【０１５７】
上述の実施形態では、側壁部６６，９２，２４２，２４４を電池保持部１００，１４４の端面１１０，１５２に固定するための固定部材としてネジ２０６を用いているが、ピン等の他の部材を固定部材として用いてもよい。また、たとえば、溶着（熱溶着または超音波溶着等）によって側壁部を電池保持部の端面に固定してもよい。この場合、電池パックの部品点数を減らすことができるとともに、電池パックの防水性を向上できる。
【０１５８】
上述の実施形態では、電池ユニットにおいて複数のリード部材がＸ方向に間隔をおいて設けられているが、複数のリード部材がＹ方向に間隔をおいて設けられてもよい。また、各電池保持部の端面において、複数の突出面がＹ方向に間隔をおいて形成されてもよい。この場合、突出面のＸ方向の寸法（幅）がＹ方向の寸法（幅）よりも大きくなるように突出面が形成されてもよい。
【０１５９】
電池保持部において、Ｚ方向に２つ以上の電池９８が並ぶように複数の電池９８が配列されてもよい。
【０１６０】
ケースと電池保持部との間に熱伝導シートまたは充填剤（伝熱性接着剤）を設けてもよい。
【０１６１】
ケースの側壁部を電池ユニットの複数のリード部材に固定してもよい。たとえば、固定部材を用いて側壁部（突出部）を複数のリード部材に固定してもよく、溶着によって側壁部（突出部）を複数のリード部材に固定してもよい。
【０１６２】
上述の実施形態では、電池保持部の第１端面の長手方向がＸ方向に対して平行でかつ電池保持部の第１端面の短手方向がＹ方向に対して平行であるが、電池保持部の第１端面の短手方向がＸ方向に対して平行でかつ電池保持部の第１端面の長手方向がＹ方向に対して平行になるように、電池パックを構成してもよい。
【０１６３】
上述の実施形態では、電池保持部側に向かって突出する複数の突出部がケースの側壁部に設けられているが、たとえば、側壁部のうち電池保持部の複数の規制部に対応する部分のみがケースの外側に向かって突出するように側壁部を構成してもよい。
【０１６４】
上述の実施形態では、側壁部の外周縁からＺ方向に突出するように周壁部が設けられる場合について説明したが、周壁部の位置は上述の例に限定されない。たとえば、側壁部の外周縁よりもやや内側の部分からＺ方向に突出するように周壁部が設けられてもよい。すなわち、周壁部は、側壁部の外周縁部からＺ方向に突出するように設けることができる。なお、側壁部の外周縁部には、側壁部の外周縁が含まれるものとする。
【０１６５】
上述の実施形態では、シール部材を挟んでケース部材とケース部材とが組み合わされる場合について説明したが、ケース部材とケース部材との組み合わせ方法は上述の例に限定されない。たとえば、シール部材の代わりに、接着剤または両面テープ等を用いてケース部材とケース部材とを組み合わせてもよい。たとえば、ケース部材とケース部材とを溶着してもよい。
【０１６６】
この発明が適用される鞍乗型車両はスクータ１０に限定されない。具体的には、この発明は、モペット等の他のタイプの自動二輪車、不整地走行用車両（ＡＬＬ−ＴＥＲＲＡＩＮ  ＶＥＨＩＣＬＥ）、およびスノーモービル等の他の鞍乗型車両にも適用できる。
【符号の説明】
【０１６７】
１０      スクータ
４０，４０ａ      電池パック
５２，５２ａ      ケース
５４，５６，５８，６０，２３４，２３６      ケース部材
６２      第１電池ユニット
６４      第２電池ユニット
６６，７２，８２，９２，２４２，２４４      側壁部
９８      電池
１００，１４４，２１２      電池保持部
１０２，１４６      第１保持部
１０４，１４８      第２保持部
１１０，１１６，１５２，１６０，      端面
１１０ａ，１１０ｂ，１１０ｃ，１１０ｄ，１１０ｅ，１１０ｆ，１１６ａ      突出面 
１２０，１２２，１２４，１２６，１６４，１６６，１６８，１７０，１８２，１８４，１８８，２１４，２１６，２１８      リード部材
２０６      ネジ
２２０      第１端面
【図１】
2013109977.tif 000003
【図２】
2013109977.tif 000004
【図３】
2013109977.tif 000005
【図４】
2013109977.tif 000006
【図５】
2013109977.tif 000007
【図６】
2013109977.tif 000008
【図７】
2013109977.tif 000009
【図８】
2013109977.tif 000010
【図９】
2013109977.tif 000011
【図１０】
2013109977.tif 000012
【図１１】
2013109977.tif 000013
【図１２】
2013109977.tif 000014
【図１３】
2013109977.tif 000015
【図１４】
2013109977.tif 000016
【図１５】
2013109977.tif 000017
【図１６】
2013109977.tif 000018
【図１７】
2013109977.tif 000019